(57)【要約】【課題】確実に冷却器の除霜を行うことができる冷蔵庫を提供することを目的とする。【解決手段】冷却器５３を除霜する除霜ヒータ３０と、この除霜時から冷却時間を計測する冷却時間計測手段と、を備えた冷蔵庫１０において、前記冷却時間が所定時間Ｔ１に到達した時において、所定の除霜開始条件を満たしている場合に次回の除霜を行い、前記除霜開始条件を満たしていない場合に前記除霜時から所定時間Ｔ２（ただし、Ｔ１＜Ｔ２）経過後に次回の除霜を行う除霜開始手段を備えたことを特徴とする。【選択図】        図５
2009085502.tif 000002
【特許請求の範囲】
【請求項１】
冷却器を除霜する除霜ヒータと、この除霜時から冷却時間を計測する冷却時間計測手段と、を備えた冷蔵庫において、
前記冷却時間が所定時間Ｔ１に到達した時において、所定の除霜開始条件を満たしている場合に次回の除霜を行い、前記除霜開始条件を満たしていない場合に前記除霜時から所定時間Ｔ２（ただし、Ｔ１＜Ｔ２）経過後に次回の除霜を行う除霜開始手段を備えたことを特徴とする冷蔵庫。
【請求項２】
圧縮機と、冷蔵室に対応した冷蔵用冷却器と、冷凍室に対応した冷凍用冷却器とを接続して冷媒流路を構成し、弁機構により冷媒流路を切替えて、冷蔵用冷却器側へ冷媒を流す冷蔵モードと、冷凍用冷却器に冷媒を流す冷凍モードとが実現できる冷蔵庫であって、
冷却器を除霜する除霜ヒータと、この除霜時から前記冷凍モードを実行した時間である冷却時間を計測する冷却時間計測手段と、を備えた冷蔵庫において、
前記冷却時間が所定時間Ｔ１に到達した時において、所定の除霜開始条件を満たしている場合に次回の除霜を行い、前記除霜開始条件を満たしていない場合に前記除霜時から所定時間Ｔ２（ただし、Ｔ１＜Ｔ２）経過後に次回の除霜を行う除霜開始手段を備えたことを特徴とする冷蔵庫。
【請求項３】
前記除霜時から冷蔵庫扉の開閉回数を計測する扉開閉計測手段を備え、
前記除霜開始手段は、前記除霜開始条件として、前記冷却時間が所定時間Ｔ１に到達した時において、前記扉開閉計測手段によって計測した開閉回数が、所定回数より多い場合に次回の除霜を行い、所定回数以下の場合に前記除霜時から所定時間Ｔ２経過後に次回の除霜を行うことを特徴とする請求項１又は２に記載の冷蔵庫。
【請求項４】
前記除霜時から冷蔵庫扉が開扉された時間である開扉積算時間を計測する開扉積算時間計測手段を備え、
前記除霜開始手段は、前記除霜開始条件として、前記冷却時間が所定時間Ｔ１に到達した時において、前記開扉積算時間計測手段によって計測した前記開扉積算時間が、所定時間より長い場合に次回の除霜を行い、所定時間以下の場合に前記除霜時から所定時間Ｔ２経過後に次回の除霜を行うことを特徴とする請求項１又は２に記載の冷蔵庫。
【請求項５】
前記除霜時から冷蔵庫扉の開扉時間を計測する開扉時間計測手段を備え、
前記除霜開始手段は、前記除霜開始条件として、前記除霜時から前記冷却時間が所定時間Ｔ１に到達した時までの間において、開扉時間計測手段が、１回の冷蔵庫扉の開扉時間が所定時間より長い開扉を計測した場合に次回の除霜を行い、１回の冷蔵庫扉の開扉時間が所定時間より長い開扉を計測しない場合に前記除霜時から所定時間Ｔ２経過後に次回の除霜を行うことを特徴とする請求項１又は２に記載の冷蔵庫。
【請求項６】
前記圧縮機が運転周波数により能力可変とした能力可変式の圧縮機であり、
前記除霜時から前記圧縮機が第１周波数以上で駆動した第１積算時間を計測する第１積算時間計測手段を備え、
前記除霜開始手段は、前記除霜開始条件として、前記冷却時間が所定時間Ｔ１に到達した時において、前記第１積算時間計測手段によって計測した第１積算時間が、所定時間より長い場合に次回の除霜を行い、所定時間以下の場合に前記除霜時から所定時間Ｔ２経過後に次回の除霜を行うことを特徴とする請求項１又は２に記載の冷蔵庫。
【請求項７】
請求項６に記載の冷蔵庫において、
前記除霜時から前記圧縮機が第２周波数以上で駆動した第２積算時間を計測する第２積算時間計測手段を備え、
前記除霜開始手段は、前記除霜開始条件として、前記冷却時間が所定時間Ｔ１に到達した時において、前記第１積算時間及び前記第２積算時間の少なくとも一方が所定時間より長い場合に次回の除霜を行い、前記第１積算時間及び第２積算時間が所定時間以下である場合に前記除霜時から所定時間Ｔ２経過後に次回の除霜を行うことを特徴とする冷蔵庫。
【請求項８】
外気温度を計測する外気温度計測手段を備え、
前記除霜開始手段は、前記除霜開始条件として、前記除霜時から前記冷却時間が所定時間Ｔ１に到達した時までの間において、前記外気温度計測手段により計測した外気温度が、所定温度より高い場合に次回の除霜を行い、前記所定温度以下の場合に前記除霜時から所定時間Ｔ２経過後に次回の除霜を行うことを特徴とする請求項１又は２に記載の冷蔵庫。
【請求項９】
前記除霜時から前記冷却時間が所定時間Ｔ１に到達した時までの時間である実運転時間を計測する実運転時間計測手段を備え、
前記除霜開始手段は、前記実運転時間が前記所定時間Ｔ２より長い場合、前記冷却時間が所定時間Ｔ１に到達した時に次回の除霜を行うことを特徴とする請求項１〜８に記載の冷蔵庫。
【請求項１０】
前記冷却時間が所定時間Ｔ１に到達した時において、前記除霜開始条件を満たさない場合であっても、前記除霜時から所定時間Ｔ２経過前に前記除霜開始条件を満たした時点で次回の除霜を行うことを特徴とする請求項１〜８に記載の冷蔵庫。
【発明の詳細な説明】
【技術分野】
【０００１】
本発明は、冷蔵庫に関し、特に冷却器の除霜に関するものである。
【背景技術】
【０００２】
従来より、冷蔵庫は、冷却器に付着した霜を所定時期に除霜ヒータにより除霜する除霜運転を行うようにしている。この除霜運転は、前回の除霜が終了した時点から圧縮機の運転積算時間が所定時間以上になった場合に次回の除霜を行うようにした方法が知られている。
【０００３】
このような従来の除霜運転では、圧縮機の運転積算時間が設定時間に到達するまでヒータ除霜を行わないように設定した場合、水分蒸発量の多い食品を大量に収納する等、冷蔵庫の使用条件によっては各冷却器が着霜劣化を起こすことがある。そのため、冷蔵庫扉の開閉回数や圧縮機の運転周波数に基づいて、次の除霜開始までの圧縮機の運転積算時間を変化させるものが提案されている（例えば、特許文献１参照）。
【０００４】
しかしながら、上記のように圧縮機の運転積算時間を変化させる場合、外気温が低い場合等、圧縮機が運転されにくい使用条件では、圧縮機の停止時間と運転時間とを合計した実運転時間が長くなり、冷却器が過着霜の状態になるおそれがあり、過着霜の状態になった場合には、この過着霜の状態を解消するために除霜ヒータの通電時間が長くなり、庫内温度の上昇が大きくなると共に、その消費電力量が増大するという問題がある。
【特許文献１】特開２００１−２１５０７７号
【発明の開示】
【発明が解決しようとする課題】
【０００５】
本発明は上記問題を考慮してなされたものであり、確実に冷却器の除霜を行うことができる冷蔵庫を提供することを目的とする。
【課題を解決するための手段】
【０００６】
本発明の冷蔵庫は、冷却器を除霜する除霜ヒータと、この除霜時から冷却時間を計測する冷却時間計測手段と、を備えた冷蔵庫において、前記冷却時間が所定時間Ｔ１に到達した時において、所定の除霜開始条件を満たしている場合に次回の除霜を行い、前記除霜開始条件を満たしていない場合に前記除霜時から所定時間Ｔ２（ただし、Ｔ１＜Ｔ２）経過後に次回の除霜を行う除霜開始手段を備えたことを特徴とする。
【発明の効果】
【０００７】
以上により本発明の冷蔵庫であると、冷却時間が所定時間Ｔ１に到達した時において、除霜開始条件を満たしている場合に次回の除霜を行い、除霜開始条件を満たしていない場合であっても、冷却時間が所定時間Ｔ１に到達した時以後の冷却時間の長短に関係なく前回の除霜時から所定時間Ｔ２経過後に次回の除霜を行うことにより、圧縮機が運転されにくい使用条件下であっても、冷却器の除霜を確実に行うことができる。
【発明を実施するための最良の形態】
【０００８】
以下、図面に基づき本発明の１実施形態について説明する。図１は本実施形態に係る冷蔵庫１０の斜視図、図２は冷蔵庫１０の断面図であり、図３は冷蔵庫１０の冷凍サイクル５０の構成を示す図、図４は冷蔵庫１０の電気的構成を示すブロック図である。
【０００９】
冷蔵庫１０は、図１及び図２に示すように、外箱１２と内箱１４との間に発泡断熱材１６を充填して断熱箱体１７を形成し、貯蔵室内部を断熱仕切壁１８によって上部の冷蔵室２０と下部の冷凍空間４０とに区画している。
【００１０】
冷蔵室２０内部は、さらに載置棚を兼ねた天井仕切板２１及び仕切板２２によって上下に３つの空間に区画され、上部空間を複数段の載置棚２３を設けた冷蔵貯蔵空間２４とし、中部空間を引き出し式の野菜容器２５を配置する野菜貯蔵空間２６とし、下部空間を内部が−３〜０℃程度に冷却される低温容器２７を配置する低温貯蔵空間２８としている。
【００１１】
冷蔵室２０の前面開口部は、断熱箱体１７に設けられたヒンジ部２９，２９に回動自在に取り付けられた左右の冷蔵室扉２０ａ，２０ａによって観音開き方式で閉塞されている。
【００１２】
冷蔵室２０の下部に設けられた冷凍空間４０には、断熱仕切壁１８の直下において、自動製氷装置を備えた製氷室４２と室内温度を切換設定することができる温度切替室４４とが左右に併設されており、製氷室４２及び温度切替室４４の下部に冷凍室４６が設けられている。製氷室４２、温度切替室４４、及び冷凍室４６は、それぞれ内部に配設された収納容器が開扉動作に連動して引き出される引き出し式の扉４２ａ，４４ａ，４６ａによって前面開口部が閉塞されており、冷凍室扉４６ａには、その開閉状態を検知するための扉スイッチ４７が設けられている。
【００１３】
そして、冷蔵室２０および冷凍空間４０のそれぞれの背面部には、冷蔵用冷却器５２及び冷凍用冷却器５３と各冷却器に対応する冷蔵用ファン５４及び冷凍用ファン５５とをそれぞれ配設し、各冷却器５２，５３で生成された冷気をファン５４，５５によりダクトを介してそれぞれの貯蔵室内に導入しこれを冷却するようにしている。また、冷凍用冷却器５３の下方にはガラス管ヒータよりなる除霜ヒータ３０が設けられている。
【００１４】
冷蔵室２０の背面にある冷気を送るためのダクト３２には、冷蔵室２０の庫内温度を測定するための冷蔵室用温度センサ３４が設けられ、冷凍室４６の天井面には、冷凍室４６の庫内温度を測定するための冷凍室用温度センサ４８が設けられている。また、冷凍用冷却器５３の上方には、該冷却器５３の温度を検知し、除霜の終了タイミングを検知するための除霜センサ４９が設けられている。
【００１５】
冷蔵冷却器５２及び冷凍冷却器５３は、冷蔵庫１０の下部に設けたインバータによる周波数変換などで能力可変式の圧縮機５６から吐出される冷媒を、図３に示すような冷凍サイクル５０により交互に導いて冷却される。
【００１６】
すなわち、冷凍サイクル５０では、圧縮機５６の吐出側に凝縮器５８が接続され、凝縮器５８には三方弁６０が接続されている。三方弁６０から二股に分かれた冷媒流路の一方に冷蔵室用キャピラリチューブ６２を介して冷蔵用冷却器５２が接続され、他方の冷媒流路に冷凍用キャピラリチューブ６４を介して冷蔵用冷却器５３が接続されており、三方弁６２を切り替えることで、凝縮器５８により放熱液化された冷媒を冷蔵用冷却器５２側及び冷凍用冷却器５３側へ分流し、また、両冷却器５２，５３への該冷媒供給を遮断するようになっている。また、各冷却器５２，５３と圧縮機５６の吸込側が接続されており、各冷却器５２，５３を流れた冷媒は再び圧縮機５６に取り込まれ冷凍サイクル５０を循環する。
【００１７】
また、断熱箱体１７の背面下部に配設された制御部６６には、図４に示すように、除霜ヒータ３０、冷蔵室用温度センサ３４、ドアスイッチ４７、冷凍室用温度センサ４８、除霜センサ４９、冷蔵室用ファン５４、冷凍室用ファン５５、圧縮機５６のモータが接続され制御部６６によって動作制御されるとともに、冷凍室扉４６ａの開閉回数及び開扉時間の積算や圧縮機５６のモータの運転状況などを記憶する。また、制御部６６には、外気温センサ６８が接続されており、冷蔵庫外の温度を計測し記憶するようになっている。
【００１８】
このような冷蔵庫１０の冷凍サイクル５０では、冷蔵用冷却器５２側へ冷媒を流す冷蔵モードと、冷凍用冷却器５３のみに冷媒を流す冷凍モードとを切り替えて運転される。
【００１９】
詳細には、冷蔵室２０を冷却する場合には、三方弁６０を切り替えて、冷蔵用冷却器５２に冷媒が流れるようにするとともに冷蔵用ファン５４を運転させる冷蔵モードを実行する。これにより、冷蔵用冷却器５２で冷却された空気は、冷蔵用ファン５４によって冷蔵室２０に送風され、冷蔵室２０内を冷却する。
【００２０】
また、冷凍室４６等の冷凍空間４０を冷却したい場合には、三方弁６０を切り替えて、冷媒が冷凍用冷却器５３に流れるようにするとともに冷凍用ファン５５を運転させる冷凍モードを実行する。これにより、冷凍用冷却器５３で冷却された空気は冷凍用ファン５５によって冷凍空間４０内部に送風され、冷凍空間４０内が冷却される。
【００２１】
そして、この冷蔵モードと冷凍モードを交互に切り替えて冷蔵庫１０の交互冷却運転を行う。
【００２２】
次に、上記構成の冷蔵庫１０の除霜制御方法について、図５に示す除霜制御方法のフロー図に基づいて説明する。
【００２３】
まず、ステップａ１において、前回の除霜が終了すると、ステップａ２に進む。
【００２４】
ステップａ２では、除霜が終了しているため、圧縮機５６、冷蔵用ファン５４及び冷凍用ファン５５とを駆動させ、冷蔵モードと冷凍モードを交互に切り替えて庫内の冷却を開始し、ステップａ３に進む。
【００２５】
ステップａ３において、前回の除霜時から冷凍モードを実行した時間、本実施形態においては、前回の除霜終了時から切替弁６０を切り替えて冷凍用冷却器５３に冷媒を流した時間である冷却時間の積算を開始するとともに、前回の除霜が終了した時点からの時間である実運転時間の積算を開始し、ステップａ４に進む。
【００２６】
ステップａ４において、冷凍室扉４６ａの開閉回数の積算を開始し、ステップａ５に進む。
【００２７】
ステップａ５では、冷却時間が所定時間Ｔ１（例えば８．５時間）に到達したか否かを判断し、到達していなければこのステップを継続し、到達していればステップａ６に進む。
【００２８】
ステップａ６では、実運転時間が所定時間Ｔ２（例えば２４時間）に到達したか否かを判断し、到達していなければ除霜開始条件を満たすか否かを判断するステップａ７に進み、到達していればステップａ７において除霜開始条件を満たすか否かの判断を行うことなく除霜を開始するステップａ８に進む。
【００２９】
ステップａ７では、除霜開始条件を満たすか否かを判断する。より具体的に、本実施形態では、冷却時間が所定時間Ｔ１に到達したときに冷凍室扉４６ａの開閉回数が所定回数Ｎ１（例えば４５回）より多いか否か判断し、開閉回数が所定回数Ｎ１以下であればステップａ６に戻り、多い場合は除霜開始条件を満たすとして、コンプレッサ３２に高負荷がかかり着霜が多いと判断して除霜を開始するステップａ８に進む。
【００３０】
そして、ステップａ８では、除霜を開始するとともに、冷却時間、実運転時間及び冷凍室扉４６ａの開閉回数をゼロにリセットし、除霜センサ４９の検知温度が所定温度以上（例えば−１０℃）になればステップａ１に戻り除霜を終了する。
【００３１】
以上のように、本実施形態では、冷却時間が所定時間Ｔ１に到達したときの除霜開始条件として扉開閉回数を基準にして、扉開閉回数が所定回数Ｎ１より多い場合では圧縮機５６が高負荷状態であると判断して、冷凍用冷却器５３の除霜を開始し、扉開閉回数が所定回数Ｎ１以下の場合では通常の負荷状態であると判断して、実運転時間が所定時間Ｔ２に至るまで除霜を行わず冷蔵モードと冷凍モードを交互に切り替えて庫内の冷却を行い、除霜開始を開始する除霜開始時間を延長する。
【００３２】
これにより、除霜開始条件を満たし冷凍用冷却器５３の着霜が多い場合では、冷凍用冷却器５３に過剰に着霜する前に除霜を開始することができるとともに、除霜開始条件を満たしていない場合であっても、前回の除霜終了時から所定時間Ｔ２経過後に次回の除霜を行うことにより、圧縮機５６が運転されにくい使用条件下であっても、冷凍用冷却器５３の除霜を確実に行うことができる。
【００３３】
しかも、冷却時間が所定時間Ｔ１に到達したときに除霜開始条件を満たしておらず通常の負荷状態であると判断し、実運転時間が所定時間Ｔ２に至るまで除霜開始時間を延長する場合であっても、この延長中に扉開閉回数が所定回数Ｎ１より多くなり除霜開始条件を満たした時点で延長を中止して除霜を行うため、除霜開始時間の延長を決定した後に冷凍室扉４６ａの開閉が頻繁に行われ冷凍用冷却器５３に着霜しやすい使用がなされた場合であっても、過剰に着霜する前に除霜することができる。
【００３４】
なお、除霜時の測定開始タイミングは、本実施形態では、前回の除霜終了時から冷却時間の積算を開始したが、例えば、前回の除霜開始時や除霜後の冷却開始タイミングなどから冷却時間の積算を開始しても良い。
【００３５】
（変更例１）
次に、本実施形態の変更例１について説明する。上記実施形態では、切替弁６０を切り替えて冷凍用冷却器５３に冷媒を流した時間を冷却時間としたが、変更例１では、ステップａ３において圧縮機５６の駆動時間を冷却時間として積算する。このように、圧縮機５６の駆動時間を冷却時間としても、冷凍用冷却器５３の除霜を確実に行うことができ、また、例えば、１つの冷却器により冷蔵室２０及び冷凍空間４０を冷却する冷蔵庫の場合であっても、該冷却器の除霜を確実に行うことができる。
【００３６】
（変更例２）
次に、本実施形態の変更例２について説明する。上記実施形態では、切替弁６０を切り替えて冷凍用冷却器５３に冷媒を流した時間を冷却時間としたが、変更例２では、切替弁６０を切り替えて冷蔵用冷却器５２に冷媒を流した時間を冷却時間として積算する。このように、冷蔵モードを実行した時間を冷却時間とし、該冷却時間を冷蔵用上冷却器５２に設けた除霜ヒータ除霜開始条件として用いることで、冷蔵用冷却器５２の除霜を確実に行うことができる。
【００３７】
（変更例３）
本実施形態の変更例３について図６を参照して説明する。なお、上記した実施形態と同一又は対応する要素には同一符号を付し、重複する説明は省略する。
【００３８】
上記の本実施形態では冷凍室扉４６ａの開閉回数によって除霜開始条件を定めているが、本変更例３は、冷凍室扉４６ａの開閉の有無により除霜開始条件を定めている点で、上記の本実施形態と相違する。
【００３９】
すなわち、本変更例３では、図６のステップａ７において、冷却時間が所定時間Ｔ１に到達したときに冷凍室扉４６ａの開閉の有無を判断し、ドアセンサ４７により冷蔵庫４６ａの開閉が検知されなければステップａ６に戻り、冷蔵庫４６ａの開閉が検知されれば除霜を開始するステップａ８に進む。
【００４０】
このような本変更例３の場合であっても、冷凍用冷却器５３の除霜を確実に行うことができる。
【００４１】
（変更例４）
本実施形態の変更例４について図７を参照して説明する。なお、上記した実施形態と同一又は対応する要素には同一符号を付し、重複する説明は省略する。
【００４２】
上記の本実施形態では冷凍室扉４６ａの開閉回数によって除霜開始条件を定めているが、本変更例４は、冷凍室扉４６ａの開扉積算時間により除霜開始条件を定めている点で、上記の本実施形態と相違する。
【００４３】
すなわち、本変更例４では、図７のステップａ４において、冷凍室扉４６ａが開扉されている時間である開扉積算時間の積算を開始する。そして、ステップａ７において、冷却時間が所定時間Ｔ１に到達したときに、開扉積算時間が、所定時間（例えば７００秒）以下であればステップａ６に戻り、所定時間より長い場合は除霜開始条件を満たすと判断して除霜を開始するとともに開扉積算時間をリセットするステップａ８に進む。
【００４４】
このような本変更例４の場合であっても、冷凍用冷却器５３の除霜を確実に行うことができる。
【００４５】
（変更例５）
本実施形態の変更例５について図８を参照して説明する。なお、上記した実施形態と同一又は対応する要素には同一符号を付し、重複する説明は省略する。
【００４６】
上記の本実施形態では冷凍室扉４６ａの開閉回数によって除霜開始条件を定めているが、本変更例５は、冷凍室扉４６ａの開扉時間により除霜開始条件を定めている点で、上記の本実施形態と相違する。
【００４７】
すなわち、本変更例５では、図８のステップａ４において、１回の冷凍室扉４６ａの開扉動作により該扉４６ａが開扉している時間である開扉時間の計測を開始する。そして、ステップａ７において、所定時間（例えば６０秒）より長い開扉時間を計測していない場合、つまり、前回の除霜終了時から冷却時間が所定時間Ｔ１に到達した時までの間において、冷凍室扉４６ａの開扉時間が所定時間より長い冷凍室扉４６ａの開扉動作が一度も検出されない場合はステップａ６に戻り、所定時間より長い開扉時間を一度でも計測した場合は除霜開始条件を満たすと判断して除霜を開始するとともに開扉時間をリセットするステップａ８に進む。
【００４８】
このような本変更例５の場合であっても、冷凍用冷却器５３の除霜を確実に行うことができる。
【００４９】
（変更例６）
本実施形態の変更例６について図９を参照して説明する。なお、上記した実施形態と同一又は対応する要素には同一符号を付し、重複する説明は省略する。
【００５０】
上記の本実施形態では冷凍室扉４６ａの開閉回数によって除霜開始条件を定めているが、本変更例６は、圧縮機５６の駆動時間により定めている点で上記の本実施形態と相違する。
【００５１】
すなわち、本変更例６では、図９のステップａ４において、圧縮機５６のモータが所定周波数Ｆ１（例えば４０ＨＺ）以上で運転した時間である第１積算時間の積算を開始する。そして、ステップａ７において、冷却時間が所定時間Ｔ１に到達したときに、第１積算時間が、所定時間（例えば１０時間）以下であればステップａ６に戻り、所定時間より長い場合は除霜開始条件を満たすと判断して除霜を開始するとともに第１積算時間をリセットするステップａ８に進む。
【００５２】
このような本変更例６の場合であっても、冷凍用冷却器５３の除霜を確実に行うことができる。
【００５３】
（変更例７）
本実施形態の変更例７について図１０を参照して説明する。なお、上記した実施形態と同一又は対応する要素には同一符号を付し、重複する説明は省略する。
【００５４】
上記の本実施形態では冷凍室扉４６ａの開閉回数によって除霜開始条件を定めているが、本変更例７は、圧縮機５６の駆動時間により定めている点で上記の本実施形態と相違する。
【００５５】
すなわち、本変更例７では、図１０のステップａ４において、圧縮機５６のモータが所定周波数Ｆ１（例えば４０ＨＺ）以上で運転した時間である第１積算時間の積算と、圧縮機５６のモータが所定周波数Ｆ２（例えば５０ＨＺ）以上で運転した時間である第２積算時間の積算とを開始する。
【００５６】
そして、ステップａ７において、冷却時間が所定時間Ｔ１に到達したときに、第１積算時間が第３所定時間（例えば１０時間）以下であればステップａ９に進み、第１積算時間が第３所定時間より長ければステップａ８に進む。ステップａ９では、第２積算時間が第４所定時間（例えば８時間）以下であればステップａ７に戻り、第２積算時間が第４所定時間（例えば１０時間）より長ければステップａ８に進む。つまり、冷却時間が所定時間Ｔ１に到達したときに、第１積算時間が第３所定時間以下で、かつ、第２積算時間が第４所定時間以下であればステップａ６に戻り、第１積算時間及び第２積算時間の少なくとも一方が第１積算時間及び第２積算時間のそれぞれに設定されている第３所定時間及び第４所定時間より長い場合は除霜開始条件を満たすと判断して除霜を開始するとともに第１積算時間及び第２積算時間をリセットするステップａ８に進む。
【００５７】
このような本変更例７の場合であっても、冷凍用冷却器５３の除霜を確実に行うことができる。
【００５８】
（変更例８）
本実施形態の変更例８について図１１を参照して説明する。なお、上記した実施形態と同一又は対応する要素には同一符号を付し、重複する説明は省略する。
【００５９】
上記の本実施形態では冷凍室扉４６ａの開閉回数によって除霜開始条件を定めているが、本変更例８は、外気温センサ６８により測定された冷蔵庫外の温度である外気温度により定めている点で上記の本実施形態と相違する。
【００６０】
すなわち、本変更例８では、図１１のステップａ４において、外気温度の計測及び記憶を開始する。そして、ステップａ７において、前回の除霜終了時から冷却時間が所定時間Ｔ１に到達した時までの間に外気温センサ６８により所定温度（例えば３３℃）以下の外気温度が一度でも測定された場合はステップａ６に戻り、外気温センサ６８により測定された外気温度が常に所定温度より高い場合は除霜開始条件を満たすと判断して除霜を開始するとともに記憶した外気温度をリセットするステップａ８に進む。
【００６１】
このような本変更例８の場合であっても、冷凍用冷却器５３の除霜を確実に行うことができる。
【図面の簡単な説明】
【００６２】
【図１】本発明の１実施形態に係る冷蔵庫の外観斜視図である。
【図２】本発明の１実施形態に係る冷蔵庫の縦断面図である。
【図３】本発明の１実施形態に係る冷蔵庫の冷凍サイクルを示す図である。
【図４】本発明の１実施形態に係る冷蔵庫の電気的構成を示すブロック図である。
【図５】本発明の１実施形態に係る冷蔵庫の除霜制御方法を示すフロー図である。
【図６】本発明の変更例３に係る冷蔵庫の除霜制御方法を示すフロー図である。
【図７】本発明の変更例４に係る冷蔵庫の除霜制御方法を示すフロー図である。
【図８】本発明の変更例５に係る冷蔵庫の除霜制御方法を示すフロー図である。
【図９】本発明の変更例６に係る冷蔵庫の除霜制御方法を示すフロー図である。
【図１０】本発明の変更例７に係る冷蔵庫の除霜制御方法を示すフロー図である。
【図１１】本発明の変更例８に係る冷蔵庫の除霜制御方法を示すフロー図である。
【符号の説明】
【００６３】
１０…冷蔵庫                  １７…断熱箱体                ２０…冷蔵室
３０…除霜ヒータ        ４０…冷凍空間                ４６…冷凍室
４６ａ…冷凍室扉        ５３…冷凍用冷却器            ５６…圧縮機
６０…三方弁
【図１】
2009085502.tif 000003
【図２】
2009085502.tif 000004
【図３】
2009085502.tif 000005
【図４】
2009085502.tif 000006
【図５】
2009085502.tif 000007
【図６】
2009085502.tif 000008
【図７】
2009085502.tif 000009
【図８】
2009085502.tif 000010
【図９】
2009085502.tif 000011
【図１０】
2009085502.tif 000012
【図１１】
2009085502.tif 000013